(57)【要約】【課題】一眼レフデジタルカメラのような撮影装置において、表示画面のサイズに制限を与えないようにする。【解決手段】デジタルカメラのモードが再生モードに切り替えられた場合には、表示制御部１４がモニタ２に画像および操作ボタンを表示し、タッチ情報検出部１５がモニタ２におけるタッチ位置の位置情報を検出し、ＣＰＵ１１が位置情報に基づいて操作ボタンを選択する。デジタルカメラ１のモードが撮影モードに切り替えられた場合には、表示制御部１４がモニタ２の表示制御を停止し、ファインダ制御部１７が光学ファインダ４に撮影メニューを表示し、タッチ情報検出部１５がタッチ位置の移動方向および移動量を検出し、ＣＰＵ１１が移動方向および移動量に基づいて撮影メニューを設定する。【選択図】図３
2007325051.tif 000002
【特許請求の範囲】
【請求項１】
撮影により被写体の画像を取得する撮像手段と、
該画像を記録する記録手段と、
タッチパネル機能を有する表示画面と、
前記画像と操作ボタンとを重ねて前記表示画面に表示する制御を行う表示制御手段と、
撮影時に前記被写体を確認するための光学ファインダと、
前記光学ファインダ内に各種撮影条件からなる撮影メニューを表示する制御を行うファインダ制御手段と、
前記記録手段に記録された前記画像を再生する再生モードおよび前記被写体の撮影を行う撮影モードを切り替えるモード切替手段と、
前記表示画面におけるタッチ位置の位置情報およびタッチ操作を検出するタッチ情報検出手段と、
前記再生モード時において、前記検出された位置情報に基づいて前記表示画面に表示された前記操作ボタンを選択する選択手段と、
前記撮影モード時において、前記検出されたタッチ位置の移動方向および移動量に基づいて前記光学ファインダに表示された前記撮影条件を設定する設定手段と、
前記再生モード時において、前記表示制御手段は前記表示画面に前記画像および前記操作ボタンを表示し、前記タッチ情報検出手段は、前記表示画面における前記タッチ位置の位置情報を検出し、前記選択手段は前記位置情報に基づいて前記操作ボタンを選択し、前記撮影モード時において、前記表示制御手段は前記表示画面の表示制御を停止し、前記ファインダ制御手段は前記光学ファインダに前記撮影メニューを表示し、前記タッチ情報検出手段は前記タッチ位置の移動方向および移動量を検出し、前記設定手段は該移動方向および移動量に基づいて前記撮影条件を設定することを特徴とする撮影装置。
【請求項２】
前記モード切替手段は、前記撮影モード時において、前記表示画面へのダブルタッチにより前記再生モードに切り替える手段であることを特徴とする請求項１記載の撮影装置。
【請求項３】
前記モード切替手段は、前記再生モード時において、前記表示画面における前記操作ボタンが表示されている部分以外の部分へのダブルタッチにより前記撮影モードに切り替える手段であることを特徴とする請求項１または２記載の撮影装置。
【請求項４】
前記モード切替手段は、前記撮影モード時において、前記撮影を行うレリーズボタンのリリース操作により前記再生モードに切り替える手段であることを特徴とする請求項１から３のいずれか１項記載の撮影装置。
【請求項５】
前記モード切替手段は、前記再生モード時において、前記撮影を行うレリーズボタンの押下操作により前記撮影モードに切り替える手段であることを特徴とする請求項１から４のいずれか１項記載の撮影装置。
【請求項６】
前記モード切替手段は、前記再生モード時において、前記光学ファインダへの接眼を検出することにより前記撮影モードに切り替える手段であることを特徴とする請求項１から５のいずれか１項記載の撮影装置。
【請求項７】
前記操作ボタンに対応する処理を実行する実行手段をさらに備え、
前記再生モード時において前記選択手段によって前記操作ボタンが選択されると、前記実行手段が前記選択された操作ボタンに対応する処理を実行することを特徴とする請求項１から６のいずれか１項記載の画像表示装置。
【請求項８】
撮影により被写体の画像を取得し、該画像を記録し、タッチパネル機能を有する表示画面に撮影により取得された被写体の画像と操作ボタンとを重ねて表示し、撮影時に前記被写体を確認するための光学ファインダ内に各種撮影条件からなる撮影メニューを表示する撮影方法において、
撮影により取得された前記画像を再生する再生モード時において、前記表示画面に前記画像および前記操作ボタンを表示し、
前記表示画面における前記タッチ位置の位置情報を検出し、
前記検出した位置情報に基づいて前記操作ボタンを選択し、
前記被写体の撮影を行う撮影モード時において、前記表示画面の表示制御を停止し、
前記光学ファインダに前記撮影メニューを表示し、
前記タッチ位置の移動方向および移動量を検出し、
該検出した移動方向および移動量に基づいて前記撮影条件を設定することを特徴とする撮影方法。
【請求項９】
撮影により被写体の画像を取得し、該画像を記録し、タッチパネル機能を有する表示画面に撮影により取得された被写体の画像と操作ボタンとを重ねて表示し、撮影時に前記被写体を確認するための光学ファインダ内に各種撮影条件からなる撮影メニューを表示する撮影方法をコンピュータに実行させるためのプログラムにおいて、
撮影により取得された前記画像を再生する再生モード時において、前記表示画面に前記画像および前記操作ボタンを表示する手順と、
前記表示画面における前記タッチ位置の位置情報を検出する手順と、
前記検出した位置情報に基づいて前記操作ボタンを選択する手順と、
前記被写体の撮影を行う撮影モード時において、前記表示画面の表示制御を停止する手順と、
前記光学ファインダに前記撮影メニューを表示する手順と、
前記タッチ位置の移動方向および移動量を検出する手順と、
該検出した移動方向および移動量に基づいて前記撮影条件を設定する手順とを有することを特徴とするプログラム。
【発明の詳細な説明】
【技術分野】
【０００１】
本発明は、タッチパネル機能を有する表示画面および光学ファインダを備えた一眼レフデジタルカメラ等の撮影装置および撮影方法、並びに撮影方法をコンピュータに実行させるためのプログラムに関するものである。
【背景技術】
【０００２】
近年、表示画面を備えるデジタルカメラ等の電子機器において、画像視認性を高めるために表示画面の大画面化が進んでいる。しかしながら、一方で軽量化・小型化も重要になるため、操作ボタンや操作キー等の搭載を最低限に抑え、表示画面にタッチパネル機能を持たせて、表示画面に表示された操作ボタンをユーザがタッチ操作によって選択することにより各種処理が行われる電子機器等の開発が進んでいる（特許文献１〜３）。
【０００３】
ところで、一眼レフデジタルカメラは、表示画面の他に光学ファインダが設けられており、光学ファインダをのぞきながら被写体を確認してレリーズボタンを押下することにより被写体を撮影することができる。ここで、表示画面の表示は撮影を行う撮影モード時には停止されており、撮影により取得した画像を再生する再生モードに切り替えられたときに駆動されて、表示画面に記録媒体に記録された画像や各種メニューが表示される。
【特許文献１】特開平５−２４４５９２号公報
【特許文献２】特開平１１−１３６５６８号公報
【特許文献３】特開平１１−１６４１７５号公報
【発明の開示】
【発明が解決しようとする課題】
【０００４】
一方、一眼レフデジタルカメラは光学ファインダ内に、測光ポイント、露出値、絞り値、シャッタスピードおよびＩＳＯ感度等の各種撮影条件からなる撮影メニューが表示され、カメラの本体に設けられた操作ボタンを用いて、各種撮影条件を設定することにより撮影が行われる。このため、一眼レフデジタルカメラにおいては、操作性の観点から操作ボタンをデジタルカメラの背面側に設ける必要があり、その結果、表示画面のサイズが限定されてしまうことなっている。
【０００５】
本発明は上記事情に鑑みなされたものであり、一眼レフデジタルカメラのような撮影装置においても、表示画面のサイズに制限を与えないようにすることを目的とする。
【課題を解決するための手段】
【０００６】
本発明による撮影装置は、撮影により被写体の画像を取得する撮像手段と、
該画像を記録する記録手段と、
タッチパネル機能を有する表示画面と、
前記画像と操作ボタンとを重ねて前記表示画面に表示する制御を行う表示制御手段と、
撮影時に前記被写体を確認するための光学ファインダと、
前記光学ファインダ内に各種撮影条件からなる撮影メニューを表示する制御を行うファインダ制御手段と、
前記記録手段に記録された前記画像を再生する再生モードおよび前記被写体の撮影を行う撮影モードを切り替えるモード切替手段と、
前記表示画面におけるタッチ位置の位置情報およびタッチ操作を検出するタッチ情報検出手段と、
前記再生モード時において、前記検出された位置情報に基づいて前記表示画面に表示された前記操作ボタンを選択する選択手段と、
前記撮影モード時において、前記検出されたタッチ位置の移動方向および移動量に基づいて前記光学ファインダに表示された前記撮影条件を設定する設定手段と、
前記再生モード時において、前記表示制御手段は前記表示画面に前記画像および前記操作ボタンを表示し、前記タッチ情報検出手段は、前記表示画面における前記タッチ位置の位置情報を検出し、前記選択手段は前記位置情報に基づいて前記操作ボタンを選択し、前記撮影モード時において、前記表示制御手段は前記表示画面の表示制御を停止し、前記ファインダ制御手段は前記光学ファインダに前記撮影メニューを表示し、前記タッチ情報検出手段は前記タッチ位置の移動方向および移動量を検出し、前記設定手段は該移動方向および移動量に基づいて前記撮影条件を設定することを特徴とするものである。
【０００７】
ここで、タッチパネル機能とは、タッチパネル上でタッチ操作がなされた場合、そのタッチ操作の位置に対応する情報を出力する機能を言う。
【０００８】
また、位置情報とは、タッチパネル上でタッチ操作がなされた位置（タッチ位置）を特定するための情報であって、例えば、座標値等であってもよい。また、位置情報は表示画面におけるタッチ位置の移動方向および移動量（例えば、タップイン→ドラッグ→タップアウトがなされた場合、タップインされた位置情報とタップアウトされた位置情報から算出されるもの）に関する情報も含む。
【０００９】
なお、本発明による撮影装置においては、前記モード切替手段を、前記撮影モード時において、前記表示画面へのダブルタッチにより前記再生モードに切り替える手段としてもよい。
【００１０】
また、本発明による撮影装置においては、前記モード切替手段を、前記再生モード時において、前記表示画面における前記操作ボタンが表示されている部分以外の部分へのダブルタッチにより前記撮影モードに切り替える手段としてもよい。
【００１１】
また、本発明による撮影装置においては、前記モード切替手段を、前記撮影モード時において、前記撮影を行うレリーズボタンのリリース操作により前記再生モードに切り替える手段としてもよい。
【００１２】
また、本発明による撮影装置においては、前記モード切替手段を、前記再生モード時において、前記撮影を行うレリーズボタンの押下操作により前記撮影モードに切り替える手段としてもよい。
【００１３】
また、本発明による撮影装置においては、前記モード切替手段を、前記再生モード時において、前記光学ファインダへの接眼を検出することにより前記撮影モードに切り替える手段としてもよい。
【００１４】
また、本発明による撮影装置においては、前記操作ボタンに対応する処理を実行する実行手段をさらに備え、
前記再生モード時において前記選択手段によって前記操作ボタンが選択されると、前記実行手段が前記選択された操作ボタンに対応する処理を実行するようにしてもよい。
【００１５】
本発明による撮影方法は、撮影により被写体の画像を取得し、該画像を記録し、タッチパネル機能を有する表示画面に撮影により取得された被写体の画像と操作ボタンとを重ねて表示し、撮影時に前記被写体を確認するための光学ファインダ内に各種撮影条件からなる撮影メニューを表示する撮影方法において、
撮影により取得された前記画像を再生する再生モード時において、前記表示画面に前記画像および前記操作ボタンを表示し、
前記表示画面における前記タッチ位置の位置情報を検出し、
前記検出した位置情報に基づいて前記操作ボタンを選択し、
前記被写体の撮影を行う撮影モード時において、前記表示画面の表示制御を停止し、
前記光学ファインダに前記撮影メニューを表示し、
前記タッチ位置の移動方向および移動量を検出し、
該検出した移動方向および移動量に基づいて前記撮影条件を設定することを特徴とするものである。
【００１６】
なお、本発明による撮影方法をコンピュータに実行させるためのプログラムとして提供してもよい。
【発明の効果】
【００１７】
本発明によれば、再生モードに切り替えがなされると、表示画面に記録媒体に記録された画像および操作ボタンが表示され、タッチパネル機能を備えた表示画面（以下「タッチパネル表示画面」とも言う）上のタッチ操作によって、タッチ位置の位置情報が検出されて操作ボタンが選択され、選択された操作ボタンによる各種操作が行われる。また、撮影モードに切り替えがなされると、表示手段の表示制御が停止され、光学ファインダに各種撮影条件からなる撮影メニューが表示され、タッチパネル表示画面上のタッチ位置の移動方向および移動量が検出され、これに基づいて撮影条件が設定される。このため、本発明によれば、一眼レフカメラのように各種撮影条件を設定する必要がある撮影装置においても、表示画面が設置される装置の背面側に操作ボタンを設ける必要がなくなり、その結果、操作ボタンの搭載を最小限に抑えて表示画面を最大限に確保することができる。
【発明を実施するための最良の形態】
【００１８】
以下、図面を参照して実施の形態について説明する。図１は本発明の撮影装置の実施形態である一眼レフデジタルカメラの背面斜視図である。一眼レフデジタルカメラ１（以下単にデジタルカメラと称する）は、図示していないが、その正面にレンズ、ストロボ、補助光ランプ、各種センサ等の、撮影に必要な各種装置が設けられている。背面には、モニタ（表示画面）２、タッチパネル３、撮影時に被写体を確認するための光学ファインダ４および後述する撮影メニューに含まれる撮影条件を切り替えるための切り替えボタン５を備える。また側面にはメディアスロット６を備える。さらに上面にはレリーズボタン７を備える。
【００１９】
モニタ２には、メディアスロット６に装填されたメモリカードに記録された画像の表示、各種設定に必要なメニュー画面、通常画面からメニュー画面への表示切替指示、選択内容の確定、実行指示等、各種操作を選択・実行するための操作ボタンが表示される。なお、モニタ２の表示面を覆うようにタッチパネル３が配置されており、モニタ２に表示された操作ボタンにユーザがタッチすると、タッチした操作ボタンに応じた各種処理が行われる。
【００２０】
また、タッチパネル３をダブルタッチ（２回連続してのタッチ）することにより、撮影モード／再生モードを切り替えることができる。さらに、撮影モード時においては、モニタ２には何ら表示がなされないが、タッチパネル３にタッチしてタッチ位置において指を移動させるスライド操作を行うことにより、後述する光学ファインダ４に表示されている撮影メニューに含まれる撮影条件を設定することができる。
【００２１】
光学ファインダ４には、撮影モード時に撮影に必要な各種撮影条件からなる撮影メニューが表示される。図２は光学ファインダ４内に撮影メニューが表示された状態を示す図である。図２に示すように光学ファインダ４内には、撮影される画角を表す枠４Ａの下方に、測光ポイント、露出値、絞り値、シャッタスピードおよびＩＳＯ感度の５種類の撮影条件が撮影メニュー４Ｂとして表示される。
【００２２】
切り替えボタン５は、撮影モード時において光学ファインダ４内に表示された５種類の撮影条件のいずれを設定するかを切り替えるためのものであり、切り替えボタン５を押下する毎に設定可能な撮影条件が切り替わる。具体的には、測光ポイント、露出値、絞り値、シャッタスピードおよびＩＳＯ感度の順に設定可能な撮影条件が切り替わり、ＩＳＯ感度を設定可能な状態においてさらに切り替えボタン５を押下すると、設定可能な撮影条件が測光ポイントに戻る。
【００２３】
メディアスロット６は、メモリカードやＩＣメモリ等の記録媒体が装填される装填口であり、メディアスロット６に記録媒体が装填されると、記録媒体に対してデータの読み取り／書き込みが行われる。
【００２４】
図３はデジタルカメラ１の内部構成を示すブロック図である。デジタルカメラ１は、モニタ２、タッチパネル３、光学ファインダ４、切り替えボタン５，ＣＰＵ（選択手段、設定手段）１１、撮像部１２、記憶部１３、表示制御部１４、タッチ情報検出部１５、記録媒体読取部１６、およびファインダ制御部１７を備える。
【００２５】
ＣＰＵ１１は、入力される指示信号に応じて所定のプログラムに基づいた処理を実行する等して、デジタルカメラ１を統括的に制御する。具体的には、ＣＰＵ１１はタッチパネル３の操作によって入力される指示信号に応じて記憶部１３から読み出したプログラムに基づいて処理を実行する。具体的には、処理結果を表示するための表示信号を表示制御部１４に出力し、対応する画像をモニタ２に表示させる。また、後述するタッチ情報検出部１５によって検出された座標値に基づいてタッチ位置の移動方向および移動量を検出し、ファインダ制御部１７に対して光学ファインダ４内に表示される撮影条件を設定させる。
【００２６】
撮像部１２は、撮影に用いられるレンズおよびレンズ駆動部、ＣＣＤおよびＣＣＤ駆動部、Ａ／Ｄ変換器等を備えて構成されており、ＣＰＵ１１から出力される制御信号に従って撮像処理を行う。
【００２７】
記憶部１３は、プログラムやデータ等が予め記録されている記録媒体であり、磁気的または光学的記録媒体、半導体メモリ等によって構成されている。記憶部１３には、デジタルカメラ１を作動させるためのシステムプログラム（不図示）の他に、モニタ２に画像を表示させるためのモニタ表示プログラム、光学ファインダ４内に撮影メニューを表示するための撮影メニュー表示プログラム等が記憶されている。
【００２８】
表示制御部１４は、ＣＰＵ１１から入力される表示信号に基づいて、モニタ２を制御して各種表示画面を表示させる。モニタ２は、ブラウン管、ＬＣＤ（Liquid Crystal Display）、ＥＬＤ（Electronic Luminescent Display）等で構成される。
【００２９】
タッチパネル３はモニタ２の画面全体を覆うように配置されており、人間の指や入力ペン等によってモニタ２が押下されると、タッチ情報検出部１５が押下された位置の座標値およびタッチ操作を検出し、座標値およびタッチ操作を表す情報をＣＰＵ１１に出力する。そしてＣＰＵ１１は座標値に対応する位置に表示されている操作ボタンの種類およびタッチ操作の種類に基づいて各種処理を実行する。なお、モニタ２におけるタッチ位置を座標値で特定することとしているが、タッチ位置を特定できるものであれば座標値に限らない。
【００３０】
ユーザは、モニタ２（タッチパネル３）上に指や入力ペン等を所定の圧力で当接させることにより、タップインやタップアウト、スライド（ドラッグ）等のタッチ操作を実現することができる。ここでタップインとは、指や入力ペンをモニタ２上に当接させたときの操作であり、タップアウトとは、当接させた指や入力ペンをモニタ２上から離す操作である。スライドとは、指や入力ペンをモニタ２上に当接させたままモニタ２上で摺動させる操作である。以下、タップインがなされて、その後スライド操作がなされることがなく、そのままタップアウトがなされる操作をシングルタッチと称し、同じ位置においてシングルタッチが所定時間内に２回以上連続してなされる操作をダブルタッチと称する。また、タップインやタップアウト、スライド等のタッチパネル３に対する指や入力ペンによる操作をタッチ操作と総称し、指や入力ペンが当接しているモニタ２上の位置をタッチ位置と称する。
【００３１】
記録媒体読取部１６は、メモリカードやＩＣメモリといった記録媒体２０に対してデータの読み取り／書き込みを行う。なお、記録媒体読取部１６は、図１におけるメディアスロット６に相当する。
【００３２】
次に、本実施形態において行われる処理について説明する。図４は再生モード時に行われる処理を示すフローチャート、図５は再生モード時のモニタ表示を示す図である。
【００３３】
なお、本実施形態においては、デジタルカメラ１の電源がオンとされた場合、デフォルトで再生モードを設定するものとする。電源がオンとされることによりＣＰＵ１１が処理を開始し、デジタルカメラ１のモードを再生モードに設定し（ステップＳＴ１）、さらに、ＣＰＵ１１はモニタ２に画像および操作ボタン８１を重ねて表示させるための表示信号を表示制御部１４に出力して、モニタ２に画像および操作ボタン８１を表示させる（ステップＳＴ２）。このとき表示される画像は、記録媒体２０に記録されている画像情報に基づいた画像である。
【００３４】
図５に示すようにモニタ２に表示される操作ボタン８１は、例えばメニューボタン８１ａ、逆戻りボタン８１ｂ、先送りボタン８１ｃ、ズームイン・ズームアウトボタン８１ｄ等で構成される。
【００３５】
次に、モニタ２上でタッチ操作がなされるとタッチ位置の座標値がタッチ情報検出部１５によって検知されてＣＰＵ１１がタッチ位置の座標値を取得する（ステップＳＴ３）。そして、ＣＰＵ１１はタッチ操作がシングルタッチであるか否かを判別する。シングルタッチでない場合（ステップＳＴ４；ＮＯ）、ステップＳＴ６へ処理を移行する。シングルタッチである場合（ステップＳＴ４；ＹＥＳ）、ＣＰＵ１１はシングルタッチがなされた位置に表示されている操作ボタン８１に対応した処理を実行する（ステップＳＴ５）。
【００３６】
例えば、逆戻りボタン８１ｂの表示位置においてシングルタッチがなされた場合、ＣＰＵ１１は逆戻りボタン８１ｂの表示色や形状等を変化させる等、逆戻りボタン８１ｂが選択されたことを識別可能とするための表示信号を表示制御部１４に出力する。その後、ＣＰＵ１１は、表示されている画像より例えば１つ前に記録された画像情報を記録媒体２０から読み出し、表示制御部１４に表示信号を出力する。これにより、モニタ２には１つ前に記録された画像が操作ボタン８１と重ねられて表示される。
【００３７】
次いで、ＣＰＵ１１は、モニタ２上における操作ボタンが表示されている部分以外の部分がダブルタッチされたか否かを判別する（ステップＳＴ６）。ダブルタッチされた場合（ステップＳＴ６：ＹＥＳ）、後述する撮影モードの処理へ移行する（ステップＳＴ８）。ダブルタッチされなかった場合（ステップＳＴ６：ＮＯ）、終了の指示がなされたか否かを判別し（ステップＳＴ７）、ステップＳＴ７が否定されるとステップＳＴ２に戻り、ステップＳＴ２以降の処理を繰り返す。ステップＳＴ７が肯定されると処理を終了する。
【００３８】
図６は撮影モード時に行われる処理を示すフローチャート、図７は撮影モード時のモニタ表示を示す図である。図４に示すフローチャートのステップＳＴ６が肯定されることにより、ＣＰＵ１１がデジタルカメラ１のモードを撮影モードに設定し（ステップＳＴ１１）、さらにモニタ２の表示を停止するための指示信号を表示制御部１４に出力して、図７に示すようにモニタ２の表示を停止させる（ステップＳＴ１２）。さらに、ＣＰＵ１１は撮影メニューを光学ファインダ４に表示するための指示信号をファインダ制御部１７に出力して、上記図２に示すように光学ファインダ４内に撮影メニューを表示させる（ステップＳＴ１３）。
【００３９】
この状態において、ＣＰＵ１１は切り替えボタン５が押下されたか否かを判別し（ステップＳＴ１４）、ステップＳＴ１４が肯定されると光学ファインダ４内に表示された撮影メニューにおいて、設定する撮影条件を変更するようファインダ制御部１７に指示を行う（ステップＳＴ１５）。具体的にはデフォルトとして測光ポイントの場所を設定する撮影条件とするよう指示を行う。この場合、光学ファインダ４内の表示は、図８に示すように設定可能な撮影条件に下線が付与される。
【００４０】
なお、ファインダ制御部１７は、切り替えボタン５が押下される毎に、ＣＰＵ１１からの指示により図８に示すように、測光ポイントの場所、露出値、絞り値、シャッタスピードおよびＩＳＯ感度の順に設定する撮影条件を切り替える。ステップＳＴ１４が否定されると、後述するステップＳＴ２１へ処理を移行する。
【００４１】
次に、モニタ２上でタッチ操作がなされるとタッチ位置の座標値がタッチ情報検出部１５によって検知されてＣＰＵ１１がタッチ位置の座標値を取得する（ステップＳＴ１６）。そして、ＣＰＵ１１はタッチ操作がスライド操作であるか否かを判別する。スライド操作でない場合（ステップＳＴ１７；ＮＯ）、ステップＳＴ１９へ処理を移行する。スライド操作である場合（ステップＳＴ１７：ＹＥＳ）、タッチ情報検出部１５がタッチパネル３上におけるタップインした座標位置およびタップアウトした座標位置からタッチ位置の移動方向および移動量を求め、ＣＰＵ１１がこれに応じて撮影条件を設定する（ステップＳＴ１８）。
【００４２】
例えば設定する撮影条件が測光ポイントの数である場合において、スライド操作が図７に示す点Ａから点Ｂまたは点Ｄになされた場合には、測光ポイントが多点測光から中央重点測光に切り替わり、さらに点Ｃ，Ｅに移動させると再度多点測光に切り替わる。
【００４３】
また、設定する撮影条件が露出値、絞り値、シャッタスピードおよびＩＳＯ感度である場合において、スライド操作が図７に示す点Ａから点Ｂになされた場合には露出値、絞り値、シャッタスピードおよびＩＳＯ感度がプラスされ、さらに点Ｃにスライド操作がなされると露出値、絞り値、シャッタスピードおよびＩＳＯ感度がより大きくプラスされる。逆に、スライド操作が図７に示す点Ａから点Ｄになされた場合には露出値、絞り値、シャッタスピードおよびＩＳＯ感度がマイナスされ、さらに点Ｅにスライド操作がなされると露出値、絞り値、シャッタスピードおよびＩＳＯ感度がより大きくマイナスされる。
【００４４】
次いで、ＣＰＵ１１はモニタ２がダブルタッチされたか否かを判別する（ステップＳＴ１９）。ダブルタッチされた場合（ステップＳＴ１９：ＹＥＳ）、前述した再生モードの処理へ移行する（ステップＳＴ２０）。ダブルタッチされなかった場合（ステップＳＴ１９：ＮＯ）、終了の指示がなされたか否かを判別し（ステップＳＴ２１）、ステップＳＴ２１が否定されるとステップＳＴ１４に戻り、ステップＳＴ１４以降の処理を繰り返す。ステップＳＴ２１が肯定されると処理を終了する。
【００４５】
このように、本実施形態においては、再生モード時においてはモニタ２に記録媒体に記録された画像および操作ボタンが表示され、タッチパネル３上のタッチ操作によって、タッチ位置の位置情報が検出されて操作ボタンが選択され、選択された操作ボタンによる各種操作が行われる。また、撮影モード時においては、モニタ２の表示が停止され、光学ファインダ４内に撮影メニューが表示され、タッチパネル３上におけるスライド操作の移動方向および移動量が検出され、これに基づいて撮影条件が設定される。このため、一眼レフカメラのように撮影条件を設定する必要がある撮影装置においても、モニタ２が配置される背面側に操作ボタンを設ける必要がなくなり、その結果、操作ボタンの搭載を最小限に抑えてモニタ２の表示面積を最大限に確保することができる。
【００４６】
なお、上記実施形態においては、再生モード時において、モニタ２上における操作ボタンが表示されている部分以外の部分をダブルタッチすることによりデジタルカメラ１のモードを再生モードから撮影モードに切り替えているが、撮影を行うためのレリーズボタン７の押下によりデジタルカメラ１のモードを再生モードから撮影モードに切り替えてもよい。
【００４７】
また、逆に撮影モード時において、モニタ２上をダブルタッチすることによりデジタルカメラ１のモードを撮影モードから再生モードに切り替えているが、撮影を終了したことを表すレリーズボタン７のリリース操作によりデジタルカメラ１のモードを撮影モードから再生モードに切り替えてもよい。
【００４８】
また、上記実施形態においては、再生モード時において、モニタ２上における操作ボタンが表示されている部分以外の部分をダブルタッチすることによりデジタルカメラ１のモードを再生モードから撮影モードに切り替えているが、図９に示すように光学ファインダ４の近傍に光学ファインダ４への接眼を検出する接眼センサ８を設け、接眼センサ８による光学ファインダ４への接眼を検出したときに、デジタルカメラ１のモードを再生モードから撮影モードに切り替え、接眼の検出が停止されたときに、デジタルカメラ１のモードを撮影モード時から再生モードに切り替えるようにしてもよい。
【００４９】
以上、本発明の実施形態に係る撮影装置について説明したが、コンピュータに上記の図４および図６に示すような処理を行わせるプログラムも、本発明の実施形態の１つである。また、そのようなプログラムを記録したコンピュータ読み取り可能な記録媒体も、本発明の実施形態の１つである。
【図面の簡単な説明】
【００５０】
【図１】本発明の撮影装置の実施形態である一眼レフデジタルカメラの背面斜視図
【図２】光学ファインダ内に撮影メニューが表示された状態を示す図
【図３】本実施形態におけるデジタルカメラの内部構成を示すブロック図
【図４】再生モード時に行われる処理を示すフローチャート
【図５】再生モード時におけるモニタの表示例を示す図
【図６】撮影モード時に行われる処理を示すフローチャート
【図７】撮影モード時における光学ファインダ内の表示例を示す図
【図８】撮影モード時において設定する撮影条件が変更される状態を示す図
【図９】本発明の他の撮影装置の実施形態である一眼レフデジタルカメラの背面斜視図
【符号の説明】
【００５１】
１      デジタルカメラ
２      モニタ
３      タッチパネル
４      光学ファインダ
５      切り替えボタン
６      メディアスロット
７      レリーズボタン
８      接眼センサ
１１    ＣＰＵ
１２    撮像部
１３    記憶部
１４    表示制御部
１５    タッチ情報検出部
１６    記録媒体読取部
１７    ファインダ制御部
２０    記録媒体
【図１】
2007325051.tif 000003
【図２】
2007325051.tif 000004
【図３】
2007325051.tif 000005
【図４】
2007325051.tif 000006
【図５】
2007325051.tif 000007
【図６】
2007325051.tif 000008
【図７】
2007325051.tif 000009
【図８】
2007325051.tif 000010
【図９】
2007325051.tif 000011